(57)【要約】【課題】  メール読み上げ装置のメール表示において、使用者の関心のあるキーワードの新規登録を可能とし、これら登録したキーワードを使用してメール表示する。【解決手段】  キーワード登録部７を新たに設け、任意のキーワードを登録する。このキーワード登録部７および一般的なキーワードを保存しているキーワード項目辞書部６とを参照し、キーワード抽出部１３は文書解析部５からのメールテキスト情報からキーワードを抽出し、キーワード保持部１４を経て表示タイミング調整部１７へ送る。表示タイミング調整部１７はキーワード項目登録部１５および表示位置設定テーブル１６に基づき、抽出されたキーワードをキーワード項目と対応させてディスプレイ１８に表示する。【選択図】        図１
2005190349.tif 000002
【特許請求の範囲】
【請求項１】
受信メールのテキスト情報を音声合成により読み上げるメール読み上げ装置において、
所定のキーワードを日時、地名、人名、場所等のキーワード項目ごとに保存しているキーワード項目辞書部と、
任意のキーワードを登録するキーワード登録手段と、
前記キーワード項目辞書部およびキーワード登録手段を参照して、前記テキスト情報に含まれるキーワードを抽出するキーワード抽出手段と、
このキーワード抽出手段により抽出されたキーワードを表示する表示手段とを備えたことを特徴とするメール読み上げ装置。
【請求項２】
キーワード項目を登録するキーワード項目登録手段と、このキーワード項目それぞれの表示位置を設定するテーブルデータが書き込まれた表示位置設定テーブルとを備え、表示手段は、前記表示位置設定テーブルのテーブルデータに従い、キーワード抽出手段で抽出されたキーワードを前記登録されたキーワード項目ごとに分類して表示することを特徴とする請求項１記載のメール読み上げ装置。
【請求項３】
表示位置設定テーブルは、そのテーブルデータの書き換えを可能にしたことを特徴とする請求項２記載のメール読み上げ装置。
【請求項４】
現在位置の地名を検出する地名検出手段と、現在の年月日時刻を検出する年月日時刻検出手段と、前記検出した地名または年月日時刻をキーワードに変換するキーワード変換部とを備え、キーワード抽出手段は前記キーワード変換部からの地名または現在の年月日時刻に関するキーワードを参照し、テキスト情報に含まれる地名が複数存在するときには前記検出した現在位置の地名に近い地名をキーワード抽出する一方、テキスト情報に含まれる相対年月日時刻表現に対し、前記検出した現在の年月日時刻を基準にして補足または修正を加えてキーワード抽出することを特徴とする請求項１記載のメール読み上げ装置。
【請求項５】
車両に搭載したことを特徴とする請求項１から請求項４のうちのいずれか１項記載のメール読み上げ装置。
【発明の詳細な説明】
【技術分野】
【０００１】
この発明はメール受信時に音声による読み上げと同時に、使用者の関心のあるキーワードを抽出し表示するメール読み上げ装置に関するものである。
【背景技術】
【０００２】
受信メールのテキスト情報の内容を効率的に把握でき、車載用に適したメール読み上げ装置として例えば以下のものがある。
このメール読み上げ装置は、予めキーワードを定義し、この定義付けしたキーワードを辞書（キーワード項目辞書部）として多数保存し、この辞書を参照して受信メールのテキスト情報に含まれるキーワードを抽出し、抽出したキーワードをディスプレイに表示するように構成している点を特徴とし、これにより車両運転者が集中力を低下させることなく安全運転を維持できるようにしたものである（例えば、特許文献１参照）。
【０００３】
【特許文献１】特開２００３−１０８１７１号公報
【発明の開示】
【発明が解決しようとする課題】
【０００４】
従来のメール読み上げ装置は以上のように構成されているが、辞書（キーワード項目辞書部）に保存されているキーワードは限定されたものであり、例えば使用者の関心のあるキーワード等を新規に追加することはできないという問題があった。
また、上記辞書に保存されている日時や場所に関するキーワードについても予め定義されたものであり、現在位置を検出し、この検出した現在位置を参照した場所に関するキーワード表示、または年月日時刻を検出し、この検出した年月日時刻を参照した日時に関するキーワード表示の機能は有していないという問題があった。
【０００５】
この発明は上記のような課題を解決するためになされたもので、メール受信時にはそのテキスト情報を音声合成により全文読み上げる一方、例えば使用者の関心のあるキーワード等を新規に登録可能とするとともに、現在の位置や年月日時刻を参照したキーワードの表示機能を備え、さらに、予め設定登録したキーワード項目に該当するキーワードを受信メールのテキスト情報より抽出し、これを表示するようにしたメール読み上げ装置を得ることを目的とする。
【課題を解決するための手段】
【０００６】
この発明に係るメール読み上げ装置は、所定のキーワードをキーワード項目ごとに保存しているキーワード項目辞書部と、任意のキーワードを登録するキーワード登録手段と、前記キーワード項目辞書部およびキーワード登録手段を参照して、受信メールのテキスト情報に含まれるキーワードを抽出するキーワード抽出手段と、抽出されたキーワードを表示する表示手段とを備えたものである。
【発明の効果】
【０００７】
この発明によれば、所定のキーワードを保存しているキーワード項目辞書部とともに任意のキーワードを登録したキーワード登録手段を参照して、受信メールのテキスト情報に含まれるキーワードを抽出し表示するように構成したので、一般的なキーワードによる表示に止まらず、使用者の関心事、時事ネタ、話題の人物といったキーワード項目辞書部では収録が困難なキーワードを使用した表示が可能となり、使用者に特化したキーワード表示ができることとなる。
【発明を実施するための最良の形態】
【０００８】
以下、この発明の実施の一形態を説明する。
実施の形態１．
図１はこの発明の実施の形態１によるメール読み上げ装置の構成を示すブロック図である。
図１において、このメール読み上げ装置は、テキスト情報部１、音声合成部２、スピーカ３、文法辞書部４、文章解析部５、キーワード項目辞書部６、キーワード登録部７、キーボード８、ＧＰＳ受信装置９を形成する位置情報検出手段９ａおよび年月日時刻検出手段９ｂ、地名データベース１０、地名変換部１１、キーワード変換部１２、キーワード抽出部１３、キーワード保持部１４、キーワード項目登録部１５、表示位置設定テーブル１６、表示タイミング調整部１７、ディスプレイ１８とを備え構成される。
【０００９】
上記構成において、テキスト情報部１は受信した電子メールをヘッダ部、本文および添付ファイルに分離する。さらに、ヘッダ部を電子メールの送信者名、送信日時およびタイトルに分離し、これら分離した項目をそれぞれ項目別にテキスト情報として格納する。
なお、電子メールは方式規格に基づき、上記のようにヘッダ部、本文および添付ファイルで構成され、このヘッダ部には電子メールの送信者名、送信日時およびタイトルの情報が含まれている。
【００１０】
音声合成部２は、テキスト情報部１に格納された電子メールの送信者名、送信日時、タイトルおよび本文等のテキスト情報を音声合成し、スピーカ３より音声出力させてメールを読み上げる。
上記音声合成の順序は、予め設定した順序、または操作者が指定した順序に従う。
【００１１】
文法辞書部４は、電子メールのテキスト情報を形態素に分割処理する際に用いる辞書であり、単語情報、品詞情報および活用情報等の文法に関する情報が登録されている。
ここで、「形態素」は意味を持つ最小単位の単語である。
【００１２】
文章解析部５は、テキスト情報部１からの電子メールのテキスト情報を文法辞書部４の文法情報を参照して形態素解析し、形態素に分割する。
【００１３】
キーワード項目辞書部６は、日時、地名、人名、場所といった名詞等のキーワード項目で定義付けられた各種キーワードを保存している辞書である。
例えば日時においては、日時に相当する名詞を「日時」の項目として保存している。
同様に、地名においては例えばナビゲーションシステム等の地名辞書等で用いられている地名に相当する名詞を「地名」の項目として保存し、人名においては人名に相当する名詞を「人名」の項目として保存し、場所においては場所に相当する名詞を「場所」の項目として保存している。
また、上記の日時、地名、人名、場所のいずれにも該当しない名詞については他のキーワード項目（例えば「名詞」）として保存している。
【００１４】
キーワード登録部７は、キーワード項目辞書部６に保存されていない任意のキーワードを登録するものである。
キーワード項目辞書部６は一般的なキーワードを保存するのに対し、キーワード登録部７は例えば、使用者の関心事、時事ネタ、話題の人物といった既登録の辞書（キーワード項目辞書部６）では収録が困難なキーワードを登録し保存する。このキーワード登録および保存はキーワード登録部７に対しキーボード８より入力操作することにより行う。
上記キーワード登録部７およびキーボード８を総称してキーワード登録手段とした。
【００１５】
ＧＰＳ受信装置９を形成する位置情報検出手段９ａは絶対位置座標を検出し、年月日時刻検出手段９ｂは現在の年月日および時刻を検出する。
する。
【００１６】
地名データベース１０は、位置情報検出手段９ａで検出される絶対位置座標と対応させた地名データ（該当住所または施設名称等）を保存しているデータベースである。
【００１７】
地名変換部１１は、地名データベース１０を参照し、位置情報検出手段９ａで検出された絶対位置座標をもとに対応する地名データ（該当住所または施設名称等）に変換する。
上記位置情報検出手段９ａと地名データベース１０および地名変換部１１とを総称して地名検出手段とした。
【００１８】
キーワード変換部１２は、年月日時刻検出手段９ｂからの年月日および時刻のデータ、および地名変換部１１からの地名データ（該当住所または施設名称等）をキーワード抽出部１３におけるキーワード抽出に使用できる形態のキーワードに変換する。
【００１９】
キーワード抽出部１３は、文章解析部５からの形態素に分割されたテキスト情報を、キーワード項目辞書部６、キーワード登録部７およびキーワード変換部１２における各キーワードと比較し、一致するキーワードを抽出する。この比較、抽出は形態素ごとに行われ、抽出されたキーワードはキーワード項目毎に分類される。なお、このキーワード抽出は音声合成部２による音声合成の前段階で行われる。
また、このキーワード抽出部１３はテーブル１３ａを内蔵し、抽出したキーワードに「あさって」等の相対年月日時刻表現が含まれている場合には、このテーブル１３ａに基づき相対年月日時刻表現に対し、キーワード変換部１２から取得した現在の年月日時刻情報との関係で補足または修正を加える。例えば「あさって」等の相対年月日表現に絶対年月日（実際の年月日）を補足、または相対年月日表現を絶対年月日に変更、または「あさって」の相対年月日表現を「明日」の相対年月日表現に修正する
図２はテーブル１３ａの一例である。図２において、右欄は「明日」、「あさって」等の相対年月日時刻表現であり、左欄の数字（＋２〜０〜−２）は現在の年月日を基準としたときの相対年月日時刻表現の差日数である。
【００２０】
キーワード保持部１４は、キーワード抽出部１３で抽出されたキーワードをキーワード項目とともに保持する。
これらキーワード抽出部１３およびキーワード保持部１４とを総称してキーワード抽出手段とした。
【００２１】
キーワード項目登録部１５は、日時、地名、人名、場所等のキーワード項目を例えば、「何」、「誰」、「どこ」、「いつ」、「その他」のような語によりキーワード項目として表示するように登録し、保存する。このキーワード項目の登録および保存はキーワード項目登録部１５に対しキーボード８より入力操作することにより行う。
上記キーボード８およびキーワード項目登録部１５とを総称してキーワード項目登録手段とした。
【００２２】
表示位置設定テーブル１６は、キーワード項目登録部１５に登録された前述例の「何」、「誰」、「どこ」、「いつ」、「その他」等のキーワード項目それぞれの表示位置を設定するテーブルデータが書き込まれたものである。
図３はこの表示位置設定テーブル１６のテーブル内容の一例を示したものである。
図３において、左欄の数字（１〜５）は表示位置を表す「行」であり、右欄は各行に表示する「何」等のキーワード項目である。なお、５行目の「ユーザ１」とあるのは、各ユーザが独自に登録するためのものである（例えば「その他」）。
この表示位置設定テーブル１６は予め設定し、固定にしてもよいが、図１のようにキーボード８より入力操作して、各キーワード項目の表示位置を設定するようにしてもよい。
これにより、各キーワード項目の表示位置をキーボード８の入力操作で任意に変更できることとなる。
【００２３】
表示タイミング調整部１７は、音声合成部２より音声合成の処理タイミング（読み上げタイミング）を検知し、この検知したタイミングと同期した表示にするように表示タイミングを調整する。
また、表示タイミング調整部１７は、キーワード項目登録部１５からの登録データおよび表示位置設定テーブル１６からの設定データに基づき、キーワード保持部１４に保持されているキーワードの表示形態を設定する。この表示形態については後述する（図７）。
【００２４】
ディスプレイ１８は、表示タイミング調整部１７で調整し設定された表示タイミングに従い抽出されたキーワードを表示する。
これら表示タイミング調整部１７およびディスプレイ１８を総称して表示手段とした。
【００２５】
次に動作につき図４を用いて説明する。
図４はこの実施の形態１によるメール読み上げ装置の動作フローチャートである。
テキスト情報部１からは格納されたテキスト情報が音声合成部２および文章解析部５に対し出力される。
音声合成部２は入力されたメール本文等のテキスト情報を音声合成し、スピーカ３より音声出力させてメールを読み上げる。この読み上げはメール全文について行われる。
以下、図４に従う。
【００２６】
図４において、ステップＳＴ１では、キーワード抽出部１３はキーワード項目辞書部６およびキーワード登録部７からキーワードおよびこのキーワードが属する項目（キーワード項目）を登録する。
【００２７】
ステップＳＴ２では、キーワード抽出部１３はキーワード変換部１２から位置情報を取得する。
このキーワード変換部１２から取得する位置情報は、位置情報検出手段９ａで検出した絶対位置座標を地名変換部１１が地名データベース１０を参照して対応する地名データ（該当住所または施設名称等）に変換し、この地名データをキーワード変換部１２でさらにキーワード変換した情報である。
【００２８】
ステップＳＴ３では、キーワード抽出部１３はキーワード変換部１２から年月日を含めた現在の時刻情報を取得する。
このキーワード変換部１２から取得する時刻情報は、年月日時刻検出手段９ｂで検出した現在の年月日および時刻のデータをキーワード変換部１２でキーワード変換した情報である。
【００２９】
ステップＳＴ４では、文章解析部５は文法辞書部４の文法情報を参照し、テキスト情報部１より入力されたメール本文等のテキスト情報を形態素に分割し、キーワード抽出部１３はこの形態素を文章解析部５より抽出する。
【００３０】
ステップＳＴ５では、キーワード抽出部１３は文章解析部５より抽出した形態素が登録キーワードのいずれかと一致するかについて比較判断し、一致するキーワードが存在する場合（ステップＳＴ５―ＹＥＳ）、ステップＳＴ６へ進む。
【００３１】
ステップＳＴ６では、キーワード抽出部１３は抽出した形態素について地名情報取得を行う。この地名情報取得の詳細について後述する（図５）。
【００３２】
ステップＳＴ７では、キーワード抽出部１３はステップＳＴ５におけるキーワード一致の判断に従い一致文字列をキーワードとして抽出する。
【００３３】
ステップＳＴ８では、キーワード抽出部１３は抽出した形態素について年月日時刻情報取得を行う。この年月日時刻情報取得の詳細について後述する（図６）。
【００３４】
ステップＳＴ９では、キーワード抽出部１３は各キーワードを抽出する際にはそのキーワードが属する項目（キーワード項目）も併せて抽出し取得する。
キーワード抽出部１３において抽出されたキーワードおよびキーワード項目はキーワード保持部１４へ送られ、ここで一旦保持した後、表示タイミング調整部１７へ送られる。
【００３５】
ステップＳＴ１０では、表示タイミング調整部１７はキーワード項目登録部１５からの登録データおよび表示位置設定テーブル１６からの設定データに基づき、キーワード保持部１４より入力された該当キーワード項目およびキーワードを並べて既定の表示枠に表示するように設定し、ディスプレイ１８へ出力する。これにより、ディスプレイ１８にはキーワード項目とキーワードとが並んで既定の表示枠に表示される。
この場合、表示タイミング調整部１７は前述のように、音声合成部２における音声合成の処理タイミング（読み上げタイミング）と同期して表示されるようにタイミング調整する。
【００３６】
ステップＳＴ１１では、キーワード抽出部１３は一つの形態素について処理を終了したときにはステップＳＴ５へ戻り、次の形態素へポインタを進める。
【００３７】
以上に対し、ステップＳＴ５において、一致するキーワードが存在しない場合（ステップＳＴ５―ＮＯ）、ステップＳＴ１２へ進む。
【００３８】
ステップＳＴ１２では、キーワード抽出部１３は、一致するキーワードが存在しないので次の形態素へポインタを進める。
【００３９】
ステップＳＴ１３では、キーワード抽出部１３はステップＳＴ５において一致するキーワードが存在しないために次の形態素へポインタを進めたときには、その形態素がメール本文の末尾かを判断し、末尾でない場合（ステップＳＴ１３―ＮＯ）には、ステップＳＴ５による処理へ戻り、末尾である場合（ステップＳＴ１３―ＹＥＳ）、処理を終了する。
【００４０】
次に、図５について説明する。
図５は図４のステップＳＴ６（地名情報取得）の詳細動作フローチャートである。
【００４１】
ステップＳＴ２１では、キーワード抽出部１３はキーワード変換部１２からの位置情報より現在位置を取得する。
【００４２】
ステップＳＴ２２では、キーワード抽出部１３はメール本文から地名に関する該当住所または施設名称を抽出し取得する。
【００４３】
ステップＳＴ２３では、キーワード抽出部１３は抽出形態素と一致する地点（地名）名称が複数存在するかについて判断する。即ち、ステップＳＴ２２で取得したメール本文中の該当住所または施設名称が複数存在するかについて判断する。
例えば、メール本文中の地名「三田」について、兵庫県の「三田市」と東京都港区の「三田」が見つかった場合である。
このように、同じ地点名称が複数存在すると判断された場合（ステップＳＴ２３―ＹＥＳ）、ステップＳＴ２４へ進む。
【００４４】
ステップＳＴ２４では、キーワード抽出部１３はステップＳＴ２１で取得した現在位置を基準にして、地点候補をこの現在位置から近い順にソートし、出力する。この出力は一つに設定してもよく、複数に設定してもよい。
【００４５】
以上に対し、ステップＳＴ２３において抽出形態素と一致する地点名称が複数存在しない場合、即ち１地点の場合（ステップＳＴ２３―ＮＯ）、ステップＳＴ２５へ進む。
【００４６】
ステップＳＴ２５では、上記の１地点を地点として出力する。
【００４７】
次に、図６について説明する。
図６は図４のステップＳＴ８（時刻情報取得）の詳細動作フローチャートである。
【００４８】
ステップＳＴ３１では、キーワード抽出部１３はキーワード変換部１２からの年月日を含めた時刻情報より年月日を含めた現在時刻を取得する。
【００４９】
ステップＳＴ３２では、キーワード抽出部１３はメールのヘッダ情報からメールの発信年月日時刻を抽出し取得する。
【００５０】
ステップＳＴ３３では、キーワード抽出部１３はメール本文から抽出した形態素に「あさって」等の相対年月日時刻の表現が存在するかについて判断し、存在する場合（ステップＳＴ３３―ＹＥＳ）は、ステップＳＴ３４またはステップＳＴ３５へ進み、存在しない場合（ステップＳＴ３３―ＮＯ）は、この時刻情報取得の処理を終了する。
上記ステップＳＴ３４またはステップＳＴ３５において、キーワード抽出の処理日（メールを読む日）がメール発信日の場合はステップＳＴ３４へ進み、キーワード抽出の処理日がメール発信日より後日の場合はステップＳＴ３５へ進む。
【００５１】
ステップＳＴ３４では、キーワード抽出部１３はメールの発信年月日時刻に相対年月日時刻を加味し、イベント等の年月日時刻を出力する。
例えば現在が１月１日であり、この日に１月１日発信のメールについてキーワード抽出の処理を行った場合であって、そのメールに「あさって」の記載がある場合、この「あさって」は１月３日を意味する。そこで、キーワード抽出部１３は抽出したキーワード「あさって」に「１月３日」も付加して出力する。
【００５２】
ステップＳＴ３５では、キーワード抽出部１３はイベント等の年月日時刻と現在年月日時刻間での相対年月日時刻キーワードを出力する。
例えば現在が１月２日であり、この日に１月１日発信のメールについてキーワード抽出の処理を行った場合であって、そのメールに「あさって」の記載がある場合、この「あさって」はメール発信日との関係では１月３日を意味することになるが、現在（１月２日）との関係では「明日」となる。そこで、キーワード抽出部１３は抽出したキーワード「あさって」を「明日」に置き換えて出力する。さらには、「１月３日」も付加して出力してもよい。
【００５３】
上述のステップＳＴ３４およびステップＳＴ３５は前記図２のテーブル１３ａを使用して処理される。
【００５４】
例えば前述のステップＳＴ３４の場合、メール発信年月日と現在の年月日は同日である。従って、現在の年月日に対する「あさって」はテーブル１３ａより「＋２」となる。
この「＋２」をメール発信年月日または現在の年月日「１月１日」に加算し、「１月３日」を得る。
【００５５】
また、ステップＳＴ３５の場合、「あさって」はメール発信年月日との関係では「＋２」であるが、現在の年月日はメール発信年月日の１日後である。従って、現在の年月日との関係ではこの「＋２」は１日減らし、「＋１」となる。この「＋１」はテーブル１３ａより「明日」を得る。また、現在の年月日「１月２日」に「＋１」を加算し、「１月３日」を得る。
【００５６】
次に、図７について説明する。
図７は以上に説明した動作によるディスプレイ１８の表示例を示す図である。
この表示例は図７下部に記したメール本文例を対象としたものである。
図７左欄の表示枠２００で囲った「何」、「誰」、「どこ」、「いつ」、「その他」はキーワード項目であり、キーボード８よりキーワード項目登録部１５に登録したものである。
図７のキーワード項目は一例であり、他の項目の登録も可能である。
また、各キーワード項目の右欄の表示枠２０２で囲った「コンサート」等はキーワード抽出部１３が例示のメール本文より抽出したキーワードであり、これらキーワードが図示のようにキーワード項目ごとに分類されて表示される。
特に、この分類表示中のキーワード項目「いつ」に関しては図示のように、メール本文に含まれていない「８月２０日」の日付が付加されている。これは図６のステップＳＴ３４で説明した処理によるものである。
【００５７】
表示するキーワード項目およびその表示位置（行位置）はキーワード項目登録部１５およびテーブル１６をもとに表示タイミング調整部１７が設定する。この表示位置設定に使用するテーブル１６はキーボード８より書き換えることができ、どの位置にどのキーワード項目を配置するかを自由に設定することができる。
また、キーワードについては図示のように表示枠２０２を複数設けて表示し、各キーワード項目に複数のキーワード表示を可能にしている。さらに、この複数のキーワード表示枠２０２とキーワード項目の表示枠２００の全体を表示枠２０４で囲って表示し、各キーワード項目ごとのキーワードを容易に把握できるようにしている。この表示枠２０４は全てのキーワード項目で表示し、他のキーワード項目との区別を容易にしている。
【００５８】
以上説明のキーワード表示は、その言語として日本語に限るものではなく、英語等の外国語であってもキーワード登録部７またはキーワード項目登録部１５に予め登録しておくことによりその言語による表示は可能であることはいうまでもない。
【００５９】
以上のように、この実施の形態１によれば、任意のキーワードを登録できるキーワード登録部７を新たに設け、このキーワード登録部７および一般的なキーワードを保存しているキーワード項目辞書部６とを参照して、受信メールのテキスト情報に含まれるキーワードを抽出し表示するように構成したので、一般的なキーワードによる表示に限られることなく、使用者の関心事、時事ネタ、話題の人物といったキーワード項目辞書部６では収録困難なキーワードを使用した表示が可能となり、使用者に特化したキーワード表示ができる。
【００６０】
また、「何」、「誰」等のキーワード項目を登録するキーワード項目登録手段１５を設け、キーワード抽出部１３で抽出したキーワードをこれらキーワード項目ごとに分類して表示するように構成したので、用途に応じ、または使用者の関心のあるキーワード項目やキーワードを選択でき、使用者に特化したキーワード表示ができる。
また、各キーワード項目に該当するキーワードを複数表示できるように構成しているので、メール内容の理解が容易となる。
また、キーワードおよびキーワード項目はそれぞれ枠で囲い表示するように構成したので、表示が見易く、メール内容の把握が容易となる。
【００６１】
また、キーワード項目それぞれの表示位置設定の基準となる表示位置設定テーブルは、そのテーブルデータの書き換えを可能に構成したので、使用者に適合した表示形態でキーワード表示でき、メール内容の把握が容易となる。
【００６２】
また、キーワード変換部９を介して取得した現在の位置情報および年月日時刻情報についてのキーワードを参照し、テキスト情報に含まれる地名が複数存在するときには現在位置の地名に近い地名をキーワード抽出し、また、テキスト情報に含まれる「あさって」等の相対年月日時刻表現に対しては、現在の年月日時刻を基準にして補足または修正を加えてキーワード抽出するように構成したので、地名キーワードについてはその抽出精度が向上し、年月日時刻のキーワードにつてはその理解が容易となり、これらよりメール内容の把握が容易となる。
【００６３】
また、この実施の形態１によるメール読み上げ装置は車載用として構成したので、内容の把握または理解の容易なメール表示が表示制限の厳しい車載用途に適合し、これにより車両運転者は集中力を低下させることなく安全運転を維持できる。
【００６４】
また、キーワード登録部７またはキーワード項目登録部１５に英語等の外国語によるキーワードまたはキーワード項目を予め登録しておくことにより、その言語によるキーワード表示が可能となる。
【図面の簡単な説明】
【００６５】
【図１】この発明の実施の形態１によるメール読み上げ装置の構成を示すブロック図である。
【図２】図１に示すテーブルのテーブル内容の一例を示す図である。
【図３】図１に示す表示位置設定テーブルのテーブル内容の一例を示す図である。
【図４】この実施の形態１によるメール読み上げ装置の動作フローチャートである。
【図５】図４のステップＳＴ６（地名情報取得）の詳細動作フローチャートである。
【図６】図４のステップＳＴ８（時刻情報取得）の詳細動作フローチャートである。
【図７】この発明の実施の形態１によるメール読み上げ装置におけるディスプレイの表示例を示す図である。
【符号の説明】
【００６６】
１  テキスト情報部、２  音声合成部、３  スピーカ、４  文法辞書部、５  文章解析部、６  キーワード項目辞書部、７  キーワード登録部、８  キーボード、９  ＧＰＳ受信装置、９ａ  位置情報検出手段、９ｂ  年月日時刻検出手段、１０  地名データベース、１１  地名変換部、１２  キーワード変換部、１３  キーワード抽出部、１４  キーワード保持部、１５  キーワード項目登録部、１６  表示位置設定テーブル、１７  表示タイミング調整部、１８  ディスプレイ。
【図１】
2005190349.tif 000003
【図２】
2005190349.tif 000004
【図３】
2005190349.tif 000005
【図４】
2005190349.tif 000006
【図５】
2005190349.tif 000007
【図６】
2005190349.tif 000008
【図７】
2005190349.tif 000009